Podtech/llm-jp-corpus-v4-ja_patent huggingface dataset:
(57)【要約】【課題】従来底の深い容器の場合底まで綺麗に洗うためには長い柄を付けたたわしを用いることが多かった。そのためにはたわしを取り換える手間がかかった。本発明は手指の届かない底の深い容器の底まで綺麗に洗えるスポンジたわしを提供する。【解決手段】本発明はスポンジたわし本体１の内部に適度な硬さを持つ芯材２を設けて手指４の力をスポンジたわしの先端まで伝達して底や周辺部まで綺麗に洗える効果を提供する。その為にスポンジたわしの内部に芯材を内包してその芯材を手指が保持して手指の力をたわし先端まで伝達することで解決する。洗浄作業に於いてたわしを取り換えることなく容器の外側も淵も深い底までも洗うことを実現する。【選択図】図１
2019037394.tif 000002
【特許請求の範囲】
【請求項１】
スポンジたわしに硬い芯材を内包するスポンジたわし
【発明の詳細な説明】
【技術分野】
【０００１】
本発明は手指の届かない深い容器の底まで容易に洗浄できる芯材入りスポンジたわしに関する。
【背景技術】
【０００２】
従来のスポンジたわしは柔らかい素材が多い。そのために深い容器の底を洗うために棒状の延長の柄を付けている構成例がある。
【０００３】
柔軟性の小さい芯材を投影面積全体に積層して構成する発明があった。
【０００４】
柔らかいスポンジたわしの場合は深いコップ状の容器の場合はスポンジたわしが底に達しても指の力を伝達できず汚れを充分に洗えない欠点があった。
【０００５】
しかしながら柄付きのスポンジたわしは平たい容器などを洗うには不適であった。そのために通常のスポンジたわしなどに持ち替えねばならない欠点があった。
【０００６】
投影面積全体に柔軟性の小さい芯材を積層形成すれば折り曲げて使用することができない欠点があった。
【先行技術文献】
【特許文献】
【０００７】
【特許文献１】特開２００１−１１２７０２号公報
【特許文献２】実開平０６−０４１６５５号公報
【特許文献３】実開平０６−０４１６５４号公報
【発明の概要】
【発明が解決しようとする課題】
【０００８】
従来は深い容器の底まで洗うためにスポンジたわしに延長する柄を付ける必要があった。
【０００９】
容器の淵部分や外側を洗うためには柄付きのスポンジたわしでは不便であった。そのために柄の付いてない普通のスポンジたわしに持ち替える必要があった。
【課題を解決するための手段】
【００１０】
上記目的を達成するために、本発明はスポンジたわしに硬い弾力性を持つ芯材を内包することで芯材入りスポンジたわしを構成している。
【００１１】
指の力がたわしの先端にまで伝達できるよう、片端１センチ程度に芯材入りスポンジたわしの二分の一〜三分の二程度の長さの芯材を密閉する。形状は板状でも棒状でも良い。
【発明の効果】
【００１２】
以上の説明から明らかなように、本発明にあっては次に列挙する効果が得られる。
(１) 芯材入りスポンジたわしは芯材が内包されているので、芯材を通して深い容器の底まで指の力を伝達できる。したがって、深い容器の底を綺麗に洗浄できる。
【００１３】
(２) 芯材は芯材入りスポンジたわしの半分ないし三分の二程度の長さなので芯材の無い部分は折り曲げて使える。
【００１４】
(３)前記(２)により、容器の淵や外側もまた底の浅い容器も他の柄付きたわしに持ち替えることなく洗える。
【図面の簡単な説明】
【００１５】
【図１】芯材入りスポンジたわしの斜視説明図である。（実施例１）
【図２】芯材入りスポンジたわしの平面説明図である。（実施例１）
【図３】芯材入りスポンジたわしの使用時の断面説明図である。（実施例１）
【実施例】
【００１６】
図１は芯材入りスポンジたわしの１実施例の透視斜視図であって、１は芯材入りスポンジたわしの本体、２は芯材である。
図２は芯材入りスポンジたわしの１実施例の透視平面図であって、１は芯材入りスポンジたわしの本体、２は芯材である
図３は芯材入りスポンジたわしの１実施例の使用中の断面図であって、１は芯材入りスポンジたわしの本体、２は芯材である。３は洗う対象の容器の断面図である。４は使用している手である。
【図１】
2019037394.tif 000003
【図２】
2019037394.tif 000004
【図３】
2019037394.tif 000005
(57)【要約】      （修正有）【課題】２人用枕については、ロングピラーがほとんどで、新婚さんや若い年代の男女が使う物は、イエスノー枕に類する物かあるいはセクシー系が中心であり、目新しい物がない。ロングピラーの様な快適性があって見た目も美しく、かつおしゃれが楽しめる２人用の新しい枕を提供する。【解決手段】１人用快眠枕１を２個並べた真中に、クッション風枕２をマジックテープ３で着脱可能な状態で結合して、ロングピラーの快適性を確保する。そのクッション風枕２の中央に、小物入用のくぼみ４を作る。くぼみ４の形状に沿った小物入をイエスノー枕の代用とする。クッション風枕２は取り外して抱き枕や必要時に腰敷きクッションに代用する。クッション風枕２の上部をハートマーク型７とし、取り替え可能なカバーによりデザインほかのファッションを楽しむことができる。以上を特徴とした２人用枕である。【選択図】図３
2019037810.tif 000002
【特許請求の範囲】
【請求項１】
１人用枕（１）２個の真中にクッション風枕（２）をマジックテープ（３）などで着脱可能な状能で結合し、クッション風枕（２）の中央に小物入（５）用のくぼみ穴（４）を設ける。小物入（５）をイエスノー枕の代用としたり、クッション風枕（２）のハートマーク型部分（７）のカバー（８）をファッション的に活用する。真中のクッション風枕（２）は、取り外して抱き枕にしたり、新婚さんや若い年代の男女が腰敷きクッションとして使える。以上の形態の２人用枕。
【請求項２】
１人用枕（１）２個とクッション風枕（２）を当初より合体縫製して、小物入（５）を収めるくぼみ穴（４）の設定をしたり、ハートマーク型などの形状部分（７）のカバー（８）を取り替えておしゃれを楽しむ形態の２人用枕。
【発明の詳細な説明】
【技術分野】
【０００１】  この発明は寝る時に頭の下に当てて支える、２人用の枕に関するものである。
【背景技術】
【０００２】  従来の枕は、快眠枕、健康枕、ロング枕など多種類あるが、枕を２個つないだ２人用の枕はない。
【発明の概要】
【発明が解決しようとする課題】
【０００４】  これは次のような課題、要望があった。
（イ）ロング枕を２人で使用する場合、快適性はあるが、新婚さんや若い年代の男女が使用する際に要望される新鮮な奮囲気、親密感の高揚が欠けている。
（ロ）睡眠時に枕元に備えたい小物、用具を収める適当な場所がない。
（ハ）特に新婚さんが意思疎通として使用する枕は、イエスノー枕があるのみで、奥ゆかしさや美観が欠けている。
本発明は以上のような欠点をなくすためになされたものである。
【課題を解決するための手段】
【０００５】  １人用の快眠枕（１）を２個作成して横に並べて、その間にハートマーク型のクッション風枕（２）を設置する。そこに並べる３個の枕（１）（２）は同程度の横幅とし、それぞれマジックテープ（３）で結合させて、自在に着脱が可能とする。真中に置くクッション風枕（２）の中央にくぼみ穴（４）を設けて、そのくぼみ穴（４）に出し入れ自由なサイズの小物入（５）を設定する。この小物入（５）は、表裏の色違いなどを利用して、イエスノー枕のように意思表示に使うことが出来る。
【発明の効果】
【０００６】  （イ）枕を３個並べた横幅があるので、２人用枕としてロング枕の様に快適である。
（ロ）中央のクッション風枕をハートマーク型などで設定すれば、新鮮な親密感を漂わせてなごやかな奮囲気をつくれる。
（ハ）小物入は、必要な各種の品物が格納できて便利である。
（ニ）見た目がきれいで人に見られても恥ずかしくない。ハートマーク型部分のカバーを取り替えることにより、おしゃれを楽しむことができる。
【図面の簡単な説明】
【０００７】
【図１】  本発明の平面図である。
【図２】  本発明の小物入の斜視図である。
【図３】  本発明の斜視図である。
【図４】  本発明のクッション風枕のカバーの斜視図である。
【発明を実施するための形態】
【０００８】  以下発明を実施するための形態について説明する。
通常サイズの１人用快眠枕（１）を２個作成して横に並べて、その間にハートマーク型のクッション風枕（２）を設置する。この３個の枕（１）と（２）は同程度の横幅とし、それぞれをマジックテープ（３）で結合させて自由自在に着脱可能とする。真中に置くクッション風枕（２）は中央にくぼみ穴（４）を設け、クッション風枕（２）の下部部分（６）は左右の快眠枕より縦長として、取り外した時に抱き枕や必要時の腰敷きクッションとして利用する。クッション風枕（２）の中央くぼみ穴（４）に沿った形の小物入（５）を作成して出し入れ自由とし、必要な小物を格納したり、色やデザインを変えて意思表示の用具としてイエスノー枕の代用とする。クッション風枕（２）の上部のハートマーク型部分（７）については、別途取り替え可能なカバー（８）を作成し、カバー（８）のデザイン、キャラクターなどでおしゃれを楽しむことができるので、日常生活の惰性感を取り除き新鮮な趣を出すことができる。
【符号の説明】
【０００９】  １  １人用快眠枕
２  クッション風枕
３  マジックテープ
４  くぼみ穴
５  小物入
６  クッション風枕の下部部分
７  クッション風枕のハートマーク型部分
８  クッション風枕のハートマーク型部分のカバー
【図１】
2019037810.tif 000003
【図２】
2019037810.tif 000004
【図３】
2019037810.tif 000005
【図４】
2019037810.tif 000006
(57)【要約】【課題】  磁石とコイルに発生する負荷や、磁石と磁気誘導性の素材に出る負荷も課題でしたが従来の発電機では、電気を使用すると、回転が重くなり発電の効率が低下していたので電気を使用しても効率が低下しない発電機を提供することを目的とする。【解決の手段】  コアレスコイルの中心の隙間が磁石巾に近いと大きな負荷となりますので隙間を小さくする程負荷が減りますが起電量も減らさず隙間を調節して、回転の負荷を弱め、コアレスコイルの接触する部分の起電を増し、磁石と磁気誘導性の素材が対向する両面に、絶縁した導線を、対向する全面に一列に並べ回転方向にコイル形状に配置、両線の導線をお互いに接続又は、固定子３の電流を固定子２のコイルに接続する事で負荷が取れます、なお、回転子磁石と回転子磁石の間に導体を配置する事で回転が軽くなります、初回転が軽く、回転子を回すだけの力で発電出来ます。【選択図】図１
2019037112.tif 000002
【特許請求の範囲】
【請求項１】
磁気誘導性を有する素材が、円筒形状に形成された本体と、本体の内壁全周に配置された固定子２と、固定子３の内側で回転する回転子と、を備え、回転子が回る事で固定子３に電気を発生させる発電機であり、
固定子２は、本体の内壁に密着する絶縁された導線を、回転方向にコイル状に一列に並べ内側を覆い、その導線の両端が互いに接続されており
固定子３は、固定子２の内側に絶縁された導線を、中心の隙間を狭く細長く楕円に巻かれたコアレスコイルで、左巻き右巻きのものが交互に接触した状態で複数配置され
回転子は、磁気誘導性を有する素材で、円筒形状で形成された、円筒体の外周に回転子磁石と導体とが、回転方向に交互に複数配置された、回転子磁石と導体の外周に絶縁された導線を、コイル状に一列に並べ全周を覆い、その導線の両端が互いに接続されている、コイルが配置されている発電機。
【請求項２】
磁気誘導性を有する素材に絶縁された導線を密着させて一列に並べて巻かれた線にコアレスコイルで起電された電流を固定子２に通す請求項１に記載の発電機。
【発明の詳細な説明】
【技術分野】
【０００１】  発電に関する
【背景の技術】
【０００２】  現在の発電機は、電流が使用されると回転が重くなり発電効率が低下していた。
【発明の概要】
【発明を解決するための課題】
【０００３】  コアレスコイルを磁石が通過すると発生する磁力で進行方向へ抑えられ、離れる時吸引され負荷となります、又、磁石や磁気誘導性の素材の片方が動く事で出る負荷も、課題でした本発明は、発電効率の低下を軽減できる発電機を提供する事を目的とする。
【発明を解決するための手段】
【０００４】  本発明は、磁気誘導性を有する素材が、円筒形状に形成された本体と、本体の内壁全周に配置された、固定子２と、固定子３の内側で回転する回転子と、を備え、回転子が回る事で固定子３に電気を発生させる発電機であり、
固定子２は、本体の内壁に、密着する絶縁された導線を、回転方向にコイル状に一列に並べ内壁を覆い、その導線の両端が互いに接続されており
固定子３は、固定子２の内側に絶縁された導線を中心の隙間を狭く細長く楕円に巻かれたコアレスコイルを、左巻き右巻きのものが交互に接触した状態で複数配置され、
回転子は、磁気誘導性を有する素材で、円筒形状で形成された、円筒体の外周に回転子磁石と導体とが回転方向に、交互に複数配置され、回転子磁石と導体の上に回転方向にコイル状に一列に絶縁された導線を並べ全周を覆い、その導線の両端が互いに接続されているコイルが配置されている。
【０００５】  磁気誘導性を有する、素材に絶縁された導線を密着させ一列に並べて巻かれた線に、固定子３より起電される電流を固定子２に通す請求項１に記載の発電機。
【発明の効果】
【０００６】  コアレスコイルの中心の隙間を少なくして中心の磁力を弱め、磁石や磁気誘導性の素材に巻くコイルと、回転子磁石と回転子磁石の間に配置する導体と、で負荷を軽減する発電ができる。
【０００７】  磁気誘導性を有する素材が磁石と対向する面全体に密着させて覆う絶縁された導線を一列に並べて巻かれたコイルに、固定子３より、起電された電流を固定子２に通し回すと、回転が軽くなります。
【０００８】  初回転が軽く、回転子を回すだけの力で済み、電気を使用しても、回転子への負荷が軽減され少ない力で発電できます。
【図面の簡単な説明】
【０００９】
【図１】  半割側面図
【図２】  正面図と円筒コイル
【図３】  コアレスコイル左巻と右巻
【発明を実施するための形態】
【００１０】  この発電機は、磁気誘導性を有する素材が円筒形状に形成された本体１と、本体１の内壁全周に配置された、固定子２と、固定子３の内側で回転する回転子円筒４、とを備え、回転子磁石５が回る事で、固定子３に電気を発生させる発電機であり、
固定子２は、本体１の内壁に密着する絶縁された導線を、回転方向に、コイル状に一列に並べ内壁を覆い、その導線の両端がお互いに接続されており、固定子３は、固定子２の内側に絶縁された導線を、中心の隙間を小さくして細長く楕円に巻かれたコアレスコイルで、左巻き右巻きのものが交互に接触した状態で複数配置され、回転子３は、磁気誘導性を有する素材で円筒形状に形成された、回転子円筒体４の外周に、回転子磁石５と、導体６とが、回転方向に交互に複数配置され、回転子磁石５と導体６の外周方向に、絶縁された導線をコイル状に一列に並べ外周を覆い、その導線の両端がお互いに接続されたコイルが配置されている。
【００１１】  磁気誘導性を有する素材に、絶縁された導線を密着させて一列に並べて巻かれた線に固定子３より起電された電流を、固定子２に通す請求項１に記載の発電機。
【００１２】  コアレスコイル３の中心の隙間が磁石５の巾に近いと磁力が集中負荷となるため固定子３の隙間を、磁石５の巾より小さくし隙間をなくさず調節する。
【００１３】  本体は、固定子２の円筒形状Ａ  又は、テーパー形状Ｂが入る内壁にする。
【００１４】  絶縁された導線で、本体１の内壁形状に合せた固定子２の円筒形状Ａ  又は、テーパ形状Ｂに接着したコイル形状を作り、本体１に挿入する。
【００１５】  固定子２と、固定子３を一所に固着して、本体に挿入する。
【００１６】  導体６と回転子磁石５の巾は、２個の巾内で調節できる。
【００１７】  固定子３より固定子２に流される電流は、外部より固定子２に交流を通しても良い。
【００１８】  導体６と、固定子２と、コイル７で回転にかかる負荷を軽減させる事を特徴とする。
【００１９】  回転子磁石５と回転子磁石５の間に導体６を設けると回転が軽くなる。
【符号の説明】
【００２０】（１）  本体
（２）  固定子        円筒形状コイルＡ，テーパ形状コイルＢ
（３）  固定子      （コアレスコイル  右巻きと左巻き）
（４）  回転子円筒  （磁性円筒体）
（５）  回転子磁石
（６）  導体
（７）  コイル      （回転子用）
（８）  外蓋
（９）  回転軸
【図１】
2019037112.tif 000003
【図２】
2019037112.tif 000004
【図３】
2019037112.tif 000005
(57)【要約】【課題】これまでの延線車には、電流回路を明確にした接地機構はなく、延線する電線等の接地はもっぱら別置きの接地ローラ等に依存してきた。【解決手段】シューチェン延線車の一部のシューを導電体にし、シューから接地導線接続端子までの確実な電流回路を設けることにより、接地回路として必要な電気抵抗と電流容量を具備する接地機構付きシューチェン延線車を提供する。【選択図】図１
2019037109.tif 000002
【特許請求の範囲】
【請求項１】
延線車から送り出される、又は、延線車に巻き取られる電線、又は、ワイヤと、延線車躯体に設けた接地導線接続端子との間に、電気抵抗が０．１Ω以下で、電流容量は２００Ａ以上、かつ、電流を断続させることのない電気回路を具備したことを特徴とする延線車。
【請求項２】
シューチェン延線車で送り出される、又は、巻き取られる電線、又は、ワイヤが接するシュー上面と、シューチェンドラムと接するシュー下面との間が導電性であるシューであることを特徴とする請求項１に記載の延線車。
【請求項３】
表面に自然劣化による電気絶縁層が生成した電線でも、電線とシューとの接触面が導電性であることを特徴とする請求項２に記載の延線車。
【発明の詳細な説明】
【技術分野】
【０００１】  本発明は、架空送電線の電線架設工事、並びに、電線撤去工事に使用する延線車に関する。
【背景技術】
【０００２】  従来のシューチェン延線車は、新品電線を傷つけず、所定の張力を付与した状態のまま、適切な速度で送り出し、緊急時には素早く、且つ、安全に停止することを主眼に開発されてきた。
このため、電線と接触するシュー上面のライニング部の材質は、摩擦力があり、強度的にも優れたプラスチック材が使われており、電線と延線車金属部は電気絶縁状態のため、別に設けた金属ローラを接触媒体として簡易な接地機能を果たしてきた。
【発明の概要】
【発明が解決しようとする課題】
【０００３】  これまでのシューチェン延線車は、シューの上面のライニング部が電気絶縁体のため、送り出し、又は、巻き取りしている電線と延線車の躯体とは電気的に接続されていない。このため、送り出し中、又は、巻取り中の移動状態にある電線に接地を付ける場合は、別に導電性の高い金属ローラに接地導線を付けた接地ローラと称する接地器具を延線車の前方などに設置している。【０００４】  しかしながら、電線と接地ローラとは各々直交する円筒形状のため接触箇所は点接触であり、特に表面に電気絶縁層の生成した劣化電線では、適切な接地器具とは言い難い状態であった。
【課題を解決するための手段】
【０００５】  本発明は、上記課題を解決するため、延線作業に必要な延線車に、接触面積が大きく低電気抵抗、かつ、大電流容量で、断続せず安定的に電流を流せる接地機構を付加するものである。【０００６】  すなわち、シューチェン延線車の特徴でもあるシューと電線、又は、ワイヤは、シューチェンドラムに巻き付いている一定時間は、相互の位置関係が変化することなく密着した接触状態であることに着目し、シューに導電性を持たせることで、効果的な接地器具とするものである。【０００７】  ここで、送電線における接地器具を簡単に説明する。
送電線を停電して作業する場合は、作業する送電線に必ず接地を付けて、他の送電線からの誘導電流などを安定的に大地に流して、作業者を保護している。【０００８】  この目的で使用するのが接地器具で、必要な電流容量を持つ接地導線（ビニル被覆銅より線など）の片端に電線を把持して電線から電流を受け取る電線側端子を付け、他端には鉄塔などの接地された物体に電流を排出する接地側端子を具備している。【０００９】  電線の延線は、通常３０ｍ／分程度の速度で電線を送り出すので、前記した把持型の接地器具は使えない。
このため、本発明では、電線側端子として導電性のシューを使い、シューチェン延線車躯体内に電流回路を作り、躯体の一画に接地導線を接続するための端子を設けることとした。
【発明の効果】
【００１０】  請求項１、２、３に記載された発明によれば、電線とシューとは一定時間ではあるが接触箇所が密着した接触状態を維持しており、その間は安定した電流が流せる。これは、従来から延線中に使用している接地器具である接地ローラでは考えられない状態であり、接地の安定性が飛躍的に向上する。【００１１】  更に、接触面積が比較的大きくなるので、電流回路の抵抗のうち電線との接触部の抵抗は接地ローラに比べて極めて低くできる。【００１２】  また、工事中に発生する接地導線に流れる電流の詳細解析によれば、電流回路の抵抗は、延線車のような作業員が接触する可能性のある機械類については出来るだけ低くすることが望ましく、０．０１Ω程度にすべきと考える。
本発明は、これらの要求に十分適応可能である。
【図面の簡単な説明】
【００１３】
【図１】図１は、本発明の実施例を示すもの。
【図２】図２は、シューチェンから１つのシューを拡大し、電線との関係を示し、合わせて、シューライニングの位置を示したもので、電線はライニングを仲介してシューと接している状態を示している。
【発明を実施するための形態】
【００１４】  図１は、本発明の実施例を示すもので、この場合、電線に流れる電流は、導電性シュー２０ａ流れ込み、シューチェンドラム１１、延線車躯体部３０の電流回路３２を経由して、接地導線接続端子３１に至り、接地導線を通じて大地に流れる。
なお、導電性シュー２０ａの個数は、シュー全体の１０％程度で十分であり、電線とは常に４個程度接触していれば問題ない。
【００１５】  導電性シュー２０ａの形態としては、現在、電気絶縁体のシューライニング材を導電性素材に変更しても良いし、シューライニング２２を付けずに金属体のシューをそのまま使っても良い。
【００１６】  なお、本発明において請求項２に記載の導電性シュー２０ａは必ずしも必要なものではなく、シューとは別に電流を低抵抗で安定的に流せる部品を延線車に装備しても問題ない。
【００１７】  また、電流回路も、前記に限らず、回転するドラム軸１２から効率よく電流を取り出せる装置を付けたり、ドラム軸以外のシューチェンドラム１１の部位から電流を取り出してもよい。
【００１８】  更に、電流回路は、鉄製の躯体をそのまま使用しても良いが、安全性を向上させるためには、ドラムから電流を取り出したら導線で接地導線接続端子３１まで導き、躯体の各部の電位をむやみに上昇させない工夫が望まれる。
【００１９】（実施の形態の効果）
上記した実施の形態によれば、導電性シュー２０ａの試作品で試験した結果、延線車躯体部３０に特段の電流回路を作らなくても、電線から接地導線接続端子３１までの抵抗は０．０３Ω程度を可能なことが確認されている。
【符号の説明】
【００２０】１      電線
１０    シューチェーン
１１    シューチェンドラム
１２    シューチェンドラム軸
２０    シュー
２０ａ  導電性シュー
２１    シュー躯体
２２    シューライニング
３０    延線車躯体
３１    接地導線接続端子
３２    躯体部電流回路（電線）
【図１】
2019037109.tif 000003
【図２】
2019037109.tif 000004
(57)【要約】【課題】歩行を補助するための杖として、従来の一本杖より使いやすく安定性があり、歩行者の体重の一部を常時支えられる機構を実現する。【解決手段】一つのグリップを共用する、単純な一体構造の二本杖とする。二本の杖の先端は使用者の肩幅ほどに開いている。グリップを片手または両手で握り、一方の杖の先を接地させ、そこを支点、その杖を軸として、他方の杖を浮かせ、あたかも製図用具のコンパスで弧を描くように、他方の杖の先を新しい接地地点へ移動させることができる。この操作を左右交互に繰り返すことにより、両方またはどちらか片方の杖によって、使用者の体重の一部を途切れなく支えることができる。これにより、重度の歩行困難者の歩行中の体の安定性を継続的に確保できる。【選択図】図３
2019037712.tif 000002
【特許請求の範囲】
【請求項１】
歩行を補助するための杖であって、
一つのグリップを共用するコンパス状に開いた２本のシャフトを有し、
その先端の先ゴム同士の間隔が使用者の肩幅ほどに開いており、
グリップをつかむ片手または両手の操作により、
接地させた一方の先ゴムを支点として、
浮かせた他方の先ゴムの接地位置を、コンパスが弧を描くように移せること、
を特徴とする、歩行を補助するための杖。
【請求項２】
請求項１記載の歩行を補助するための杖であって、
構造上の補強も兼ね、シャフト間に水平なバーを設けることにより、
簡易的ながら立ち上がり補助具としての機能を有すこと、 
を特徴とする、歩行を補助するための杖。
【請求項３】
請求項１記載の歩行を補助するための杖であって、
シャフト先端部（５）が球体になっており、
可動先ゴム（６）内面との嵌合に若干の隙間を持たせ、
先ゴムに限定的な可動性を持たせることにより、
先ゴム接地部分の摩耗を軽減させること、
を特徴とする、歩行を補助するための杖。
【発明の詳細な説明】
【技術分野】
【０００１】
本発明は、歩行を補助するための杖に関するものである。
【背景技術】
【０００２】
従来の一本杖は、使用者の体重の一部を支える道具であるにもかかわらず、杖の接地位置を移す操作中、その機能を果たしていなかった。
そのため、重度の歩行困難者の歩行を補助する道具としては不十分であった。
また、二本の杖を組み合わせた構造の既存発明は過去にあるものの、構造や機能が複雑であり、製造コストや操作性に問題があった。
【先行技術文献】
【特許文献】
【０００３】
【特許文献１】特開２０１３−１１６２９６
【特許文献２】特開２００４ー４９７４７
【特許文献３】特開２００４−０５７２５１
【特許文献４】特開２０００−２１７８７６
【発明の概要】
【発明が解決しようとする課題】
【０００４】
解決しようとする課題は、重度の歩行困難者に対して、従来の一本杖では体重の一部を常に支える機能が不十分であり、継続的な安定性を保てないこと。
【０００５】
二本杖であるなら、できるだけ構造を単純化し、操作性を高めること。
【課題を解決するための手段】
【０００６】
本発明は、単純な構造の二本杖を実現することにより、重度の歩行困難者の体重の一部を常に支え、操作しやすく、歩行におけ安定性を高めることを主要な特徴とする。
【発明の効果】
【０００７】
本発明のコンパス杖は、単純な構造の一体型二本杖であり、共用するグリップを片手または両手で握り、両方の杖またはどちらか片方の杖で、常に使用者の体重の一部を支えることができる。
このため、重度の歩行困難者にとって、一本杖よりも歩きやすく、歩行における安定性を高める利点がある。
一本杖とシルバーカーの中間に位置する歩行補助具として、ことに階段や玄関など段差ある場所で活躍するものと考えられる。
【０００８】
また、一本杖ではないので、壁に立てかけても倒れにくい。
【０００９】
さらに、全体の構造を補強するため、両シャフト間に水平なバーを設けることにより、そのバーとシャフトを両手でつかんでの立ち上がり補助具としての機能も付加できる。
【図面の簡単な説明】
【００１０】
【図１】図１は、コンパス杖の正面図である。
【図２】図２は、コンパス杖のシャフト先端部と可動先ゴムとの組み合わせ断面図である。
【図３】図３は、コンパス杖を片手で操作中の説明図である。
【発明を実施するための形態】
【００１１】
コンパス杖は、二つの杖の先端の間隔が使用者の肩幅ほどあり、一つのグリップ（１）を二本の杖が共有する形態である。
使用者がグリップを片手または両手で握り、一方のシャフト（２）に体重の一部を預け、そのシャフトを軸とし、その先ゴム（３）を支点として、あたかも製図用具のコンパスで弧を描くように、他方のシャフトに弧を描かせ、他方の先ゴムを別の地点に着地させることができる。
この操作を左右交互に繰り返すことにより、使用者の両足と合わせて四足歩行することになり、従来の一本杖より安定して前進することを実現した。
【００１２】
補足的な問題として、先ゴムがシャフト先端にしっかり固定された構造では、先ゴム接地面の急速な摩耗が懸念される。
この解決手段としては、シャフト先端部（５）を球体とし、この形状に対応する可動先ゴム（６）を組み合わせ、若干の隙間と潤滑油によって摩擦を軽減させつつ、限定的な回転をさせることで、先ゴム接地面の摩耗を抑える、という方法がある。
【符号の説明】
【００１３】
１  グリップ
２  シャフト
３  先ゴム
４  バー
５  シャフト先端部
６  可動先ゴム
【図１】
2019037712.tif 000003
【図２】
2019037712.tif 000004
【図３】
2019037712.tif 000005
(57)【要約】      （修正有）【課題】流し台の上でマナ板を使う時滑るのを防止する。【解決手段】流し台の上でマナ板１を使う時滑りやすかったのを使いやすくするため、長いゴムの両端にフックを設け、マナ板１の側面にフックを掛けてゴムを下にして使いことを特徴とする。【選択図】図３
2019037736.tif 000002
【特許請求の範囲】
【請求項１】
長いゴム（４）の両端にフック（３）を設けたことを特徴とするフック付きゴム
【発明の詳細な説明】
【技術分野】
【０００１】この発明は、流し台の上でマナ板を使うとき、マナ板が滑べるのを防止するためのフック付きゴムに関するものである。
【背景技術】
【０００２】従来のマナ板は、流し台の上で使うとき野菜や肉などを切る時、包丁と一緒に動いてしまうことがありマナ板端にゴムが付いているものが有るが、流し台が小さいと流し台のオケの上にはみ出してしまうことがあった。
【先行技術文献】
【特許文献】
【０００３】
【特許文献１】
【発明の概要】
【発明が解決しようとする課題】
【０００４】これは、次のような欠点があった
（イ）流し台のほとんどステンデスでマナ板は滑りやすかった。
（ロ）野菜や肉など切る時、包丁に力を入れるとマナ板も一緒に動いてしまうことが多った。
（ハ）マナ板に滑り止めのゴムが付いているマナ板も有るが流し台が小さいと、ゴムの付いた部分が流し台のオケの部分にはみ出してしまうことがあった。
本発明は、以上のような欠点をなくすためになされたものである。
【課題を解決するための手段】
【０００５】マナ板（１）の側面（２）にフック（３）の付いたゴム（４）を側面（２）にフック（３）を掛ける、ゴム（４）をマナ板の下にして使う、本発明は以上のような構成よりなるフック付きゴムである。
【発明の効果】
【０００６】（イ）マナ板（１）の側面（２）にフック（３）を引掛けゴム（４）をマナ板（１）の下にするマナ板（１）の揺れを防ぐ
（ロ）ゴム（４）の両端にフック（３）を設けてあるのでマナ板のどの位置にも付けられる。
（ハ）フック（３）をツマンで引張って、マナ板の側面に掛ければよいので簡単である。
【図面の簡単な説明】
【０００７】
【図１】平面図である
【図２】断面図である
【図３】拡大図である
【発明を実施するための形態】
【０００８】以下、本発明を実施するための形態について説明する
長いゴム（４）の両端にフック（３）を設ける
本発明は以上のような構造である。
本発明を使用するときは、フック（３）をツマンでマナ板（１）の側面（２）に引掛ければよい、使用するときはゴム（４）を下にして使えばよい、マナ板のどの位置にも取付られる。
【符号の説明】
【０００９】１  マナ板本体
２  側面
３  フック
４  ゴム
【図１】
2019037736.tif 000003
2019037736.tif 000004
【手続補正書】
【提出日】平成29年11月6日(2017.11.6)
【手続補正１】
【補正対象書類名】図面
【補正対象項目名】全図
【補正方法】変更
【補正の内容】
【図１】
2019037736.tif 000005
【図２】
2019037736.tif 000006
【図３】
2019037736.tif 000007
(57)【要約】【課題】  耳の怪我や病気の治療の際にガーゼ等を用いて患部を清潔に保とうとした場合、自分１人でも容易に装着できるように、耳を覆う形状のガーゼあるいは不織布等に、装着用のバンドを設けた耳用ガーゼマスクを提供する。【解決手段】  耳を覆う形状のガーゼあるいは不織布等（１）に、装着用のバンド（２）を設けた耳用ガーゼマスクを特徴とする。【選択図】図１
2019037731.tif 000002
【特許請求の範囲】
【請求項１】
耳を覆う形状のガーゼあるいは不織布等に装着用のバンドを設けた耳用ガーゼマスク。
【発明の詳細な説明】
【技術分野】
【０００１】  この発明は、耳を覆う形状のガーゼあるいは不織布等に、装着用のバンドを設けた耳用ガーゼマスクに関するものである。
【技術背景】
【０００２】  従来、耳への使用を目的とした形状のガーゼマスクは無かった。
【発明の概要】
【発明が解決しようとする課題】
【０００３】  これは、次のような欠点があった。
従来において、耳の怪我や病気の治療の際にガーゼ等を用いて患部を清潔に保とうとした場合、必要とする量のガーゼ等を切り取り、テープを用いて頭部の側面に固定する作業が発生していた。
耳の場所は視界の外となるため、自分１人で行う場合においては困難な作業であった。
本発明は、以上のような欠点をなくすためになされたものである。
【課題を解決するための手段】
【０００４】  耳を覆う形状のガーゼあるいは不織布等に、装着用のバンドを設ける。
本発明は以上の構成よりなる耳用ガーゼマスクである。
【発明の効果】
【０００５】  耳を覆う形状のガーゼあるいは不織布等に、装着用のバンドが設けられているため、ガーゼ等の切り取りやテープで固定するといった作業が発生せず、自分１人で容易に装着することが可能となる。
【図面の簡単な説明】
【０００６】
【図１】  本発明の斜視図である。
【図２】  本発明の断面図である。
【発明を実施するための形態】
【０００７】  以下、本発明を実施するための形態について説明する。
耳を覆う形状のガーゼあるいは不織布等（１）の端に装着用のバンド（２）を設ける。
本発明は以上のような構造である。
これを使用するときは、装着用のバンドを耳の付け根にかければよい。
【符号の説明】
【０００８】  １  耳を覆う形状のガーゼあるいは不織布等
２  装着用のバンド
【図１】
2019037731.tif 000003
【図２】
2019037731.tif 000004
(57)【要約】      （修正有）【課題】ゴルフのパッティング技術の向上を図る方法として、集中力を高め、これを持続して繰り返し練習ができるゴルフパッティング練習具を提供する。【解決手段】台座本体１に四方より取り囲む様にゴルフボールを通過させる進入路入口段差７を設けた場所に傘状底の円筒カップ６に向かって勾配を設けた状態で進入路兼排出口２、３、４、５を設け、台座本体１の中央部近傍には進入経路兼排出口の端よりやや低くカップ入口兼出口段差８を設けた場所に口径が１０センチメートル程度の底が盛り上がっている傘状底の円筒カップ６を設けたことを特徴とするゴルフパッティング練習具。【選択図】図１
2019037732.tif 000002
【特許請求の範囲】
【請求項１】
台座本体（１）に四方より取り囲む様にゴルフボールを通過させる進入路入口段差（７）を設けた場所に傘状底の円筒カップ（６）に向かって勾配を設けた状態で進入路兼排出口（２）（３）（４）（５）を設け、台座本体（１）の中央部近傍には進入経路兼排出口の端よりやや低くカップ入口兼出口段差（８）を設けた場所に口径が１０センチメートル程度の底が盛り上がっている傘状底の円筒カップ（６）を設けたことを特徴とするゴルフパッティング練習具。
【発明の詳細な説明】
【技術分野】
【０００１】  本発明は、室内外で使用できるゴルフのパッティング練習具に関するもので、パッティングの精度を向上させるためにボールの通過する進入路の幅を変更する方法を採用し、幅の異なる進入路兼排出口を複数設けたことと、カップインしたボールを効率良く排出するための傘状底の円筒カップを設けたことを特徴とする。
【背景技術】
【０００２】  ゴルフのパッティングの技術向上に最も効果が高いと考えられているのは実際のグリーン上での練習であるが、その機会が少ないゴルファのために室内外で手軽に練習できる種々多様な練習具が開発され販売さている。
【先行技術文献】
【実用新案文献】
【０００３】
【実用新案文献１】
実願２０１６−３９２９
【実用新案文献２】
実願２００８−３６５２
【０００４】  文献１の実願２０１６−３９２９のパッティング練習用パッティングがカップは、ボールの通過するカップ入口通路とカップインしたボールの排出通路がそれぞれ異なる場所に設けてあることを特徴としている。
【０００５】  文献２の実願２００８−３６５２のパッティング練習用カップは、カップに向かうボールの通路幅を変更する手段として、カップに見立てた円板状のベース部上面後方半円に筒状の後方周壁部を形成し、前記後方周壁に基部を内装可能にして円形状に添って前方へ出没自在に組み込んだ前方周壁部を備え、出没調整により通路幅を調整することを特徴としている。
【発明の概要】
【発明が解決しようとする課題】
【０００６】  効率的にパッティング技術の向上を図るために、カップインしたボールが自然に排出される仕組みを作り、集中力を高めてカップインの成功体験を数多く得ることで自信を養い、ゴルフのスコアーアップを図るためになされたものである。
【課題を解決するための手段】
【０００７】  以下本発明の図１を示しながら説明する。
台座本体（１）に四方より取り囲む様にゴルフボールを通過させる進入路入口段差（７）を設けた場所に傘状底の円筒カップ（６）に向かって勾配を設けた状態で進入路兼排出口（２）（３）（４）（５）を設け、台座本体（１）の中央部近傍には進入経路兼排出口の端よりやや低くカップ入口兼出口段差（８）を設けた場所に口径が１０センチメートル程度の底が盛り上がっている傘状底の円筒カップ（６）を設けたことを特徴とするゴルフのパッティング練習具である。
【発明の効果】
【０００８】  本発明を使用することにより
ゴルフボールがカップへ向かう進入路幅を広くしたり、狭くしたりして繰り返し練習することで集中力を養いカップインの自信を得ることができる。進入路の変更方法としては、台座本体を任意の位置に動かすか、パッティングする時の立つ位置を変えるだけで済むため手間が掛らない。
カップが傘状底の円筒カップであり、傘の頂部はカップの淵よりやや高いため、カップインしたボールは、カップ内で一瞬留まるが滞留することなく自然に排出される構造となっているため、ボール取り出しの手間が掛らない。
【図面の簡単な説明】
【０００９】
【図１】本発明の斜視図
【図２】本発明の正面図
【図３】本発明図２のＡ−Ａ´断面図
【符号の説明】    １  台座本体
２  レベル１進入路兼排出口
３  レベル２進入路兼排出口
４  レベル３進入路兼排出口
５  レベル４進入路兼排出口
６  傘状底の円筒カップ
７  進入路入口段差
８  カップ入口兼出口段差
【発明を実施するための形態】
【０００８】  以下、本発明の実施の形態について説明する。
台座本体（１）に四方より取り囲む様にゴルフボールを通過させる進入路入口段差（７）を設けた場所に傘状底の円筒カップ（６）に向かって勾配を設けた状態で進入路兼排出口（２）（３）（４）（５）を設けるが、進入路兼排出口は、４カ所にこだわらず、これよりも多くても少なくてもよい。
台座本体（１）の中央部近傍には進入経路兼排出口の端よりやや低くカップ入口兼出口段差（８）を設けた場所に口径が１０センチメートル程度の底が盛り上がっている傘状底の円筒カップ（６）を設けてある。
これは、近距離から打ち出されたボールが進入路入口段差（７）を駆け上がった後カップインした際にカップ入口兼出口段差（８）によりカップ内で一瞬留まった後ボールが自然に排出口から排出される様にするためのものである。
理由は、傘の頂部がカップ入口兼出口段差（８）の淵よりやや高いため、カップインしたボールは、カップインした強弱により排出口が異なる。これにより、ボールを打ち出す力の強弱が把握でき、力加減を調整して使用する。
【図１】
2019037732.tif 000003
【図２】
2019037732.tif 000004
【図３】
2019037732.tif 000005
(57)【要約】      （修正有）【課題】絵画作品等の展示において、壁面における展示位置とそのための釘やフックなどの位置を容易に定める。【解決手段】額３等の展示物を釘やフックなどに掛ける部分で一旦吊ることで、仮の展示状態を保持しながら展示位置の確認をし、吊っている部分の尖り２で展示壁面に印をつけることで釘やフックなどを打つべき位置を定める。【選択図】図１
2019037725.tif 000002
【特許請求の範囲】
【請求項１】
展示物を吊る吊り具を備え、その吊り具には前記展示物を吊る壁面の位置に印をつける部分を有することを特徴とする壁掛け展示物の位置決め器具。
【請求項２】
吊り具に少なくとも展示物落下防止のための返し等の構造か印をつける用具を脱着できる構造を備えた請求項１の器具。
【発明の詳細な説明】
【技術分野】
【０００１】  本発明は、絵画作品等を展示する際にその展示位置を確認しながら壁面に打つ釘やフックなどの位置を定めることができる展示作業時に使用する器具に関するものであり、壁面における展示位置及びそのための釘やフックなどの位置を容易に決める方法を提供する。
【背景技術】
【０００２】  絵画作品等の展示の際、意図する位置に展示するのは手間や時間がかかる。まず、展示壁面にガイド線をつけるなどの準備を要する。ガイド線は展示物の中心や外形、あるいは鑑賞者の目線の位置などを基にする。しかし、多くの場合この外部的なガイド線と展示物側の釘等を掛ける位置が一致している訳ではないので、意図する展示位置における展示壁面に打つ釘等の位置を計測や計算によって求める必要がある。また、展示物を紐によって掛けるものの場合はその紐の伸縮具合も考慮しなければ意図する位置に展示することはできない。さらに、大きさのある展示物で中央の一点ではなく複数の釘等で掛ける場合や、上下や左右に大きさの異なる複数の作品をきれいに並べる場合などは大変手間がかかる作業となる。
【発明の概要】
【発明が解決しようとする課題】
【０００３】  解決しようとする問題点は、展示物を意図する位置に展示するために釘等を打つ位置を計測や計算によって定めなければならない点である。
【課題を解決するための手段】
【０００４】  展示物をその釘等に掛ける部分で一旦吊り、実際の展示位置を確認しながら吊った部分で釘等を打つべき位置に印をつける。
【発明の効果】
【０００５】  本発明によってより直感的に展示位置とその釘等を打つべき位置を知ることができ、展示の際の手間や負担を軽減し、作業時間の短縮になる。本発明の利用は展示物の仮の展示状態を保持する事になり、展示位置の微調整が可能となる。また紐掛けによる展示の場合は、紐の伸び具合も加味されるのでより精確な展示が容易にできる。
【図面の簡単な説明】
【０００６】
【図１】棒状の本発明の実施方法を示した説明図である。（実施例１）
【図２】棒状の本発明の斜視図である。
【図３】ベルト状の本発明の斜視図である。
【図４】ベルト状の本発明の実施方法を示した説明図である。（実施例２）
【発明を実施するための形態】
【０００７】  展示物を吊る吊り具を備え、その吊り具には前記展示物を吊る壁面の位置に印をつける部分を有することを特徴とする壁掛け展示物の位置決め器具。
【実施例１】
【０００８】  図１は、棒状の本発明の実施例である。この本発明は棒状の柄（１）の一方の先が垂直方向に伸びており、さらに先端に尖り（２）がある。この垂直方向に伸びた部分で釘等に掛ける額（３）の紐（４）を吊ることで、展示物の仮の展示状態を保持しつつ展示位置の調整確認を行う。任意の展示位置で先端の尖り（２）を展示壁面に押し当て印をつける。
【実施例２】
【０００９】  図４は、ベルト状の本発明の実施例である。この本発明は板状の本体（５）に尖り（２）や鉛筆等の用具を脱着できる垂直方向に突き出した円筒部（６）が設けられ、円筒部（６）に返し（７）があり、板状の本体（５）の上部にはマジックテープベルト（８）が備えられている。実施する際は、本発明をマジックテープベルト（８）で持ち、円筒部（６）を額の紐（４）に掛けて額（３）を吊り、その状態でマジックテープベルト（８）を額（３）に一周させて巻き、額の紐（４）が吊られた状態を本発明ごとマジックテープベルト（８）のマジックテープで固定する。それから額（３）を手で保持し、壁面における展示位置の調整確認を行い、尖り（２）を展示壁面に押し当て印をつける。
【符号の説明】
【００１０】１    柄
２    尖り
３    額
４    紐
５    板状の本体
６    円筒部
７    返し
８    マジックテープベルト
【図１】
2019037725.tif 000003
【図２】
2019037725.tif 000004
【図３】
2019037725.tif 000005
【図４】
2019037725.tif 000006
(57)【要約】【課題】  ロールをセットしたら直ぐ使えてペーパーを引き出すのが軽やかで、片手でペーパーをちぎれて、ちぎった後ペーパーの先端がロールに密着せずに離れていて次の掴み代を探すのが容易で、ペーパーを切る方向も上向きのホルダーを提供する。【解決手段】  芯を水平にしたロール（１）の周りに両側壁と奥壁を設けてロール（１）のセットは下から挿入する式の心棒（２）を設ける。  ロール（１）だけに触れているカバー（３）の左右に柄（４）を付けて、柄（４）の先端部を心棒（２）の下方の側壁（５）に、ロール（１）より下方に、それぞれ回転可能に取り付ける。カバー（３）の下端を刃（６）とする。カバー（３）が軽くロール（１）に接する程度に柄（４）に引きバネ（７）を付ける。  以上を特徴とするトイレットロールペーパホルダー【選択図】図２
2019037727.tif 000002
【特許請求の範囲】
【請求項１】
芯を水平にしたロール（１）の周りに両側壁と奥壁を設けてロール（１）のセットは下から挿入する式の心棒（２）を設ける。
ロール（１）だけに触れているカバー（３）の左右に柄（４）を付けて、柄（４）の先端部を心棒（２）の下方の側壁（５）に、ロール（１）より下方に、それぞれ回転可能に取り付ける。カバー（３）の下端を刃（６）とする。
カバー（３）が軽くロール（１）に接する程度に柄（４）に引きバネ（７）を付ける。
以上を特徴とするトイレットロールペーパホルダー
【発明の詳細な説明】
【技術分野】
【０００１】  本発明はカバーの支点をロールより下方に付けたトイレットロールペーパーホルダーに関するものである。
【技術背景】
【０００２】  従来のホルダーはカバーの支点がロールより上方にあり、手でカバーを押さえてペーパーを上向きに切る方式、カバーにロールを押さえるバネを付けて上向きに切る方式やカバーに穴を開けペーパーを通して下向きに切る方式のもの等があった。
【発明の概要】
【発明が解決しようとする課題】
【０００３】  公のトイレでペーパーホルダーに手を触れて使うのは不潔感と不安感がある、触れずに使いたい。掴み代がロールにくっ付いて離れ難いと使いづらいので取りやすくしたい、更にロールのセットが簡単で、ペーパーの引き出しも軽くスムーズに引き出せ、引きちぎる向きも従来と同じ上向きが良い。ロールの径が小さくなってもカバーの下から掴み代となるペーパーの端を覗かす為の回転が容易に出来るようにしたい。
本発明はこれらを解決しようとするものである。
【問題を解決するための手段】
【０００４】  芯を水平にしたロール（１）の周りに両側壁と奥壁を設けてロール（１）のセットは下から挿入する式の心棒（２）を設ける。
ロール（１）だけに触れているカバー（３）の左右に柄（４）を付けて、柄（４）の先端部を心棒（２）の下方の側壁（５）に、ロール（１）より下方に、それぞれ回転可能に取り付ける。カバー（３）の下端を刃（６）とする。
カバー（３）が軽くロール（１）に接する程度に柄（４）に引きバネ（７）を付ける。以上の様な構成からなるトイレットロールペーパーホルダーである。
【発明の効果】
【０００５】  ロール（１）をセットしただけでペーパー（８）をカバーの穴に通す事も無く直ぐに使えて軽やかにペーパー（８）を引き出せる、ペーパー（８）はカバー（３）を押さえなくても片手でちぎれ、ちぎった後次のペーパー（８）の掴み代がロール（１）と離れているので掴み易い、ちぎり方も上向きに引ちぎられ、カバー（３）のロール（１）にかかる圧力は普段は小いのでロール（１）の径が小さくなってもロール（１）を軽く回転させ掴み代を出し易い。
【図面の簡単な説明】
【０００６】
【図１】斜視図
【図２】側面で手前の側壁をはずした断面図
【図３】使用側面図
【図４】使用側面図
【発明を実施するための形態】
【０００７】  芯を水平にしたロール（１）の周りに両側壁と奥壁を設けて、電車の踏切のバーと同じく、上下に開閉する心棒（２）を両壁に設けてロール（１）のセットは下から挿入する式とする。
ロール（１）だけに触れているカバー（３）の左右に柄（４）を付けて、柄（４）の先端部を心棒（２）の下方の側壁（５）に、ロール（１）の下方に、それぞれ回転可能に取り付ける。取り付け点は心棒の径の両端に接する垂線の範囲内にある様にして柄の長さはおおよそロールの半径ほどにする、カバー（３）の下端を刃（６）として使う。
カバー（３）が軽くロール（１）に接する程度に柄（４）に引きバネ（７）を付ける。
【実施例】
【０００８】  図（３）のロール（１）のセットは下から挿入しただけで他に何もせずに直ぐ使える。そのロール（１）から垂れているペーパー（８）を掴み必要な長さだけ下に軽やかに引き出せる。上に引きちぎる時ペーパー（８）が刃（６）を上に持ち上げるのと同時にカバー（３）がロール（１）を押さえて回転を止めるのでペーパー（８）がちぎれる、すなわち手でカバーを（３）を押さえる必要がなく片手でちぎれる（図４）。次回使用時はペーパー（８）の掴み代がカバー（３）に隠れているのでロール（１）を回転させカバー（３）の外に出たペーパー（８）の先端を掴んで引く、この時ペーパー（８）の先端部がロール（１）と密着せずに離れた状態にあり掴み易い、カバー（３）のロール（１）を押す圧力は普段は小さいのでロール（１）の径が小さくなっても容易に回転させる事が出来る。
【符号の説明】
【０００９】１  ロール
２  心棒
３  カバー
４  柄
５  側壁
６  刃
７  バネ
８  ペーパー
【図１】
2019037727.tif 000003
【図２】
2019037727.tif 000004
【図３】
2019037727.tif 000005
【図４】
2019037727.tif 000006
(57)【要約】【課題】本発明は、風呂用スリッパのつま先に磁石を装着し、かかと部分には脚を設けることでスリッパ同士のつま先を合わせた形で自立させることでスリッパの水切り乾燥がし易い状態にするものである。【解決手段】風呂用スリッパ（１）のつま先部分を斜めの形状をとり、結合用磁石（２）を装着することでスリッパ同士のつま先が４５度程度の角度で結合し支え合う構造とした。風呂用スリッパのかかと部分にスリッパ自立用脚（３）を設けることで支え合ったスリッパの自立を可能とした。【選択図】図１
2019037729.tif 000002
【特許請求の範囲】
【請求項１】
風呂用スリッパ（１）のスリッパ同士が支え合えるよう、つま先部分が４５度程度の斜めになった形状。
【請求項２】
風呂用スリッパ（１）のつま先の斜めになった形状部分にスリッパ同士が容易に結合可能となるよう結合用磁石（２）を備える。
【請求項３】
水切りと乾燥に適した状態を保つ為、つま先で結合されたスリッパが自立できる様かかと部分にスリッパ自立用脚（３）を備える。
【発明の詳細な説明】
【技術分野】
【０００１】本発明は、風呂用スリッパのつま先に磁石を装着し、かかと部分には脚を設けることでスリッパ同士のつま先を合わせた形で自立させることでスリッパの水切り乾燥がし易い状態にするものである。
【背景技術】
【０００２】  従来、風呂用スリッパは使用後風呂の床に置かれるといつまで経ってもスリッパの裏が濡れていてカビの生えやすい状態が継続しいていた。
【発明の概要】
【発明が解決しようとする課題】
【０００３】  これは、次のような欠点があった。
（イ）従来、濡れた風呂用スリッパの水を切るためには水を拭くためのタオルを必要とす      るか、壁に立てかける等するが、壁に立てかけた場合は壁も濡れる状態となってい      た。
（ロ）スリッパを壁に立てかけてもかかとが丸く不安定なので転倒しやすかった。
本発明は、以上のような欠点をなくすためになされたものである。
【課題を解決するための手段】
【０００４】風呂用スリッパ（１）のつま先部分を斜めの形状をとり、結合用磁石（２）を装着することでスリッパ同士のつま先が４５度程度の角度で結合し支え合う構造とした。
風呂用スリッパのかかと部分にスリッパ自立用脚（３）を設けることで支え合ったスリッパの自立を可能とした。
【発明の効果】
【０００５】（イ）風呂用スリッパ（１）のつま先に設けた結合用磁石（２）でスリッパ同士が結合し      支え合い、かかとに設けたスリッパ自立用脚（３）で風呂の床に自立することで水      切り乾燥をし易い状態を作ることで、濡れたスリッパをタオルで拭いたり、不安定      な状態でスリッパを壁に立てかける必要が無くなった。
【図面の簡単な説明】
【０００６】
【図１】  風呂用スリッパが支え合い自立状態となっている傾斜図である。
【図２】  本発明の自立風呂用スリッパの正面図と側面図と上面図である。
【図３】  本発明の自立風呂用スリッパの側面図である。
【発明の実施をする為の形態】
【０００７】以下、この発明の具体的実施の形態について説明する。
風呂用スリッパ（１）のつま先はスリッパ同士が支え合うよう４５度程度の角度がついた形状とし、結合用磁石（２）を装着することでスリッパ同士を容易に結合可能とした。
スリッパのかかと部分にはスリッパ自立用脚（３）を設けることで結合したスリッパが水切りと乾燥に適した自立状態を保つことを可能とした。
【符号の説明】
【０００８】１  風呂用スリッパ
２  結合用磁石
３  スリッパ自立用脚
【図１】
2019037729.tif 000003
【図２】
2019037729.tif 000004
【図３】
2019037729.tif 000005